(57)【要約】【課題】インペラのシュラウド形状をより最適化して騒音の低減と送風特性を向上した遠心ファンを提供すること。【解決手段】円板状の主板５と環状のシュラウド６との間に円周方向に多数の羽根４を配設したインペラ３をケーシング１０内に格納し、吸込み口１５から吸入した空気を前記インペラ３の回転に伴う遠心作用による流体力で前記インペラ３の径外方に向けて吹き出してなる遠心ファンであって、前記環状のシュラウド６は中央に円筒部１７を形成し、該円筒部１７の端からシュラウド６の外周部までの上面形状が曲率半径の異なった３つ以上の円弧、または高次関数によって形成され、前記主板５と前記羽根４と前記シュラウド６とで囲まれた空気の流路の途中に断面積が最小となる最小部を形成し、該最小部から前記シュラウド６の外周部までの前記流路の断面積を漸増させている。【選択図】図３
2012207600.tif 000002
【特許請求の範囲】
【請求項１】
円板状の主板と環状のシュラウドとの間に円周方向に多数の羽根を配設したインペラをケーシング内に格納し、吸込み口から吸入した空気を前記インペラの回転に伴う遠心作用による流体力で前記インペラの径外方に向けて吹き出してなる遠心ファンであって、前記環状のシュラウドは中央に円筒部を形成し、該円筒部の端からシュラウド外周部までの上面形状が曲率半径の異なった３つ以上の円弧、または高次関数によって表される曲面によって形成され、前記主板と前記羽根と前記シュラウドとで囲まれた空気流路の途中に断面積が最小となる最小部を形成し、該最小部から前記シュラウドの外周部までの前記空気流路の断面積が漸増していることを特徴とする遠心ファン。
【請求項２】
前記ケーシングの吸込み口の周縁に環状の突起部を形成し、前記シュラウドの前記円筒部は前記ケーシングから突出することなく、前記環状の突起部の内側に配置されていることを特徴とする請求項１に記載の遠心ファン。
【請求項３】
前記ケーシングは上板と下板にて支柱を挟持し、前記ケーシングの側面が側壁を備えることなく、開口を形成してなることを特徴とする請求項１または２に記載の遠心ファン。
【発明の詳細な説明】
【技術分野】
【０００１】
本発明は遠心ファンに係り、特に騒音の低減と送風特性を向上した遠心ファンに関する。
【背景技術】
【０００２】
従来、家電機器、ＯＡ機器、産業機器の冷却、換気、空調や、車両用の送風機などに広く用いられている遠心ファンとして図８に示す構成が知られている。遠心ファン１００はモータの回転軸周りに多数の羽根１０２を配置したインペラ１０１を吸入口１０４と吹出し口１０５を有する渦巻き状のケーシング１０３内に格納し、吸入口１０４から吸入された空気をインペラ１０１の中心から羽根１０２の間に流入させ、インペラ１０１の回転に伴う遠心作用による流体力でインペラ１０１の径外方に向けて吹き出す。そしてインペラ１０１から吹き出された空気は流路の断面積が次第に増加するように構成された渦巻き状のケーシング１０３内部を通過し、高圧の空気となって、ケーシング１０３から吹き出すものである。この種の遠心ファンにおけるインペラは主板とシュラウドで挟むように複数の羽根が取り付けられており、シュラウドは内周側から外周側に向かって傾斜する曲面で形成され、インペラの内周側からインペラの外周側に向かうほど、空気流路の断面積が縮小するような構成としている。このような構成の遠心ファンでは、インペラから吹き出された空気はその流速が増加した状態でケーシングの側壁に衝突するため、ケーシング内部で空気の流れに乱れが生じて騒音が増大し、送風効率が低下するという問題がある。
【０００３】
これに対して、インペラから吹き出される空気の流速を減速させてケーシング側壁への衝突を減少して騒音を低減し、ファン効率の向上を図った遠心ファンが提案されている（例えば、特許文献１参照）。
【０００４】
図９は特許文献１の遠心ファンを示す断面図である。図９に示すように、遠心ファン２００の吐出側２０５に位置するシュラウド外周部２０７が、遠心ファン２００の吸込側２０６に傾斜し、シュラウド断面が略円弧状であり、ファン外径Ｄに比しシュラウド断面半径Ｒが０．０１Ｄ〜０．２５Ｄとすることで、遠心ファン２００の吐出し流れ２１５がシュラウド外周部２０７の形状に沿うスムースな流れとなると共に、シュラウド外周部２０７から吹き出される空気の吹き出し速度を減速することができるため、筐体側壁２１６への衝突を少なくでき、筐体２１７内の乱れを減少させることで騒音の発生を低減でき、ファン効率を向上することができる。
【先行技術文献】
【特許文献】
【０００５】
【特許文献１】特開２０００−１２０５８２号公報
【発明の概要】
【発明が解決しようとする課題】
【０００６】
しかしながら、特許文献１に記載の遠心ファン２００はインペラ２０３のシュラウド断面を略円弧状で、ファン外径Ｄに比しシュラウド断面半径Ｒが０．０１Ｄ〜０．２５Ｄに形成したものであるが、シュラウド断面を１つの円弧で形成した構成では、シュラウド２０３の形状設計の自由度がないため、シュラウド外周部２０７までの空気の流路断面積をゆるやかに増加する形状を構成することが難しく、空気の流路断面積を急激に拡大させた場合には急激に圧力が大きくなり、騒音が増加し、送風特性が低下する。
【０００７】
本発明は上記の課題に鑑みなされたもので、シュラウド形状をより最適化して騒音の低減と送風特性を向上した遠心ファンを提供することを目的とする。
【課題を解決するための手段】
【０００８】
上記課題を解決するために本発明の遠心ファンは、円板状の主板と環状のシュラウドとの間に円周方向に多数の羽根を配設したインペラをケーシング内に格納し、吸込み口から吸入した空気を前記インペラの回転に伴う遠心作用による流体力で前記インペラの径外方に向けて吹き出してなる遠心ファンであって、前記環状のシュラウドは中央に円筒部を形成し、該円筒部の端からシュラウド外周部までの上面形状が曲率半径の異なった３つ以上の円弧、または高次関数によって表される曲面で形成され、前記主板と前記羽根と前記シュラウドとで囲まれた空気流路の途中に断面積が最小となる最小部を形成し、該最小部から前記シュラウドの外周部までの前記空気流路の断面積が漸増していることを特徴とする。
【発明の効果】
【０００９】
本発明の遠心ファンによれば、シュラウド上面の形状を複数の円弧にて形成し、主板とブレードとシュラウドとで囲まれた空気流路の途中に断面積が最小となる最小部を形成し、最小部からシュラウド外周部までの空気流路の断面積を漸増させた構成であるので、最小部で空気の流速を増加させた後、ゆるやかに流速を減速させて圧力エネルギーに変換される結果、吸入口付近およびインペラの外周部近傍での空気の流れに乱れが生じることがないため、空気の流れの乱れによる騒音を抑制できると共に、送風特性を向上した遠心ファンを提供することができる。
【図面の簡単な説明】
【００１０】
【図１】本発明の実施形態に係る遠心ファンを示す斜視図である。
【図２】図１に示す本発明の遠心ファンの上ケーシングとシュラウドを取り除いた状態での平面図である。
【図３】図１に示す本発明の遠心ファンの断面図である。
【図４】図２に示すインペラの断面図である。
【図５】従来の遠心ファンにおける風の流れのシミュレーション結果を示した図である。
【図６】図１に示す本発明の遠心ファンにおける風の流れのシミュレーション結果を示した図である。
【図７】本発明の遠心ファンと従来の遠心ファンにおける静圧−風量特性図を示した図である。
【図８】従来の遠心ファンを示した図である。
【図９】他の従来の遠心ファンを示した図である。
【発明を実施するための形態】
【００１１】
以下、本発明の実施形態を図面に基づいて説明する。図１は本発明の実施形態に係る遠心ファンを示す斜視図、図２は図１に示す遠心ファンの上ケーシングとシュラウドを取り除いた状態での平面図、図３は図１に示す遠心ファンの断面図、図４は図３に示すインペラの断面図である。
【００１２】
遠心ファン１は多数の羽根４を配置したインペラ３とインペラ３を格納したケーシング１０により構成されており、モータ２によってインペラ３が回転駆動される。
【００１３】
インペラ３は、円周方向に等間隔で、多数の羽根４を配置し、これらの羽根４の一端側を主板５で支持し、羽根４の他端側を環状のシュラウド６で支持したもので、羽根４は主板５とシュラウド６とで挟持された構成となっている。主板５は円板状でその中央にカップ状のボス部７を有している。羽根４は所定の曲率で湾曲した形状であって、すべて同じ形状に形成されており、環状のシュラウド６の上面形状は４つの円弧によって形成されている。この羽根４は羽根４の内周側よりも外周側がインペラ３の回転方向に対して遅れて回転していく後向き羽根で、回転方向に対して後向きに湾曲傾斜した羽根形状となっており、一般にターボファンと呼ばれる遠心ファンである。そして、カップ状のボス部７の内側にモータ２のロータ部を接合し、ロータ部の回転に伴ってインペラ３が回転する。
【００１４】
ケーシング１０は略正四角形であって、中央には円形の開口が形成された合成樹脂製の上板１１と合成樹脂製の下板１２から構成され、各角部は円弧状に形成されて面取りが施されており、上板１１の４箇所の角部近傍にはそれぞれ略円筒状の支柱１３が上板１１と下板１２にて挟持されている。上板１１と下板１２は４箇所の支柱１３を挟持し、連結部材１４（例えば、ボルトやネジなど）を支柱１３に挿通して連結している。
【００１５】
ケーシング１０は側壁を備えておらず、ケーシング１０の側面には支柱１３のみを備えて開口が形成されている。そして、ケーシング１０の内部にはインペラ３が格納されている。このため、インペラ３の外周縁から外方に吹き出される空気はケーシング１０の側面の開口からケーシング１０の外方に吹き出される。インペラ３の外径寸法はケーシング１０の一辺の寸法より小さく設定している。
【００１６】
なお、インペラ３の外径寸法がケーシング１０の一辺の寸法より大きい場合、回転するインペラ３がケーシング１０の外縁より突出してしまうため、他部材との接触や接触による破損等の虞があり、好ましくない。このため、インペラ３の外径はケーシング１０の外縁から突出しないように設定することが好ましい。
【００１７】
上板１１の中央に形成された開口は吸込み口１５となり、この開口の周縁は下板側に突出した環状の突起部１６を形成している。環状のシュラウド６の中央に形成された円筒部１７は上板１１から外方に突出することなく、上板１１の吸込み口１５の周縁に形成された環状の突起部１６の内側に配置される。このとき、上板１１の吸込み口１５の周縁に形成された環状の突起部１６とシュラウド６の円筒部１７とは接触しないように所定の隙間を有するように配設して、インペラ３がケーシング１０の内部に格納されている。そして、モータ２の駆動によるロータ部の回転に伴ってインペラ３が回転することにより、吸込み口１５から吸入された空気はインペラ３の回転に伴う遠心作用による流体力で、主板５と羽根４とシュラウド６とで囲まれた空気流路を通って、インペラ３の外周部からインペラ３の径外方に向けて吹き出され、そしてケーシング１０の側面の開口から外側に吹き出される。
【００１８】
環状のシュラウド６は中央に形成された円筒部１７と、この円筒部１７からシュラウド６の外周部６ａでは上板１１に向かって反り返っており、シュラウド６の円筒部１７の端１７ａからシュラウド６の外周部６ａまで上面形状は曲率半径の異なった４つの円弧をつなげた形状の曲面にて形成されている。そして、インペラ３は主板５と羽根４とシュラウド６とで囲まれた空気流路の途中に断面積が最小となる最小部を形成し、この最小部から環状のシュラウド６の外周部６ａまでの空気流路の断面積が漸増する構成となるように、環状のシュラウド６の上面形状を４つの円弧をつなげた形状の曲面にて形成している。図４に示すように、空気流路の途中に断面積が最小となる最小部における主板５からシュラウド６までの高さＨ１は、シュラウド６の外周部６ａにおける主板５からシュラウド６までの高さＨ２に比べて低くなるように設定される。
【００１９】
モータ２の駆動によるロータ部の回転に伴ってインペラ３が回転することにより、吸込み口１５から吸入された空気は羽根４の間に流入する。羽根４の間に流入した空気は、主板５と羽根４とシュラウド６とで囲まれた空気流路の途中に断面積が最小となる最小部を形成しているため、この最小部によって空気の流速が増加すると共に空気の圧力が低下する。そして、最小部を通過した後は、シュラウド６の外周部６ａまでの空気流路の断面積が漸増しているため、空気流路内の空気はゆるやかに流速を減速させ、圧力エネルギーに変換されて空気の圧力が増加する。
【００２０】
図５は従来の遠心ファンにおける風の流れのシミュレーション結果を示した図、図６は図１に示す本発明の遠心ファンにおける風の流れのシミュレーション結果を示した図である。
【００２１】
なお、本発明の遠心ファンにおけるインペラ形状の効果を明瞭にするため、図５に示す遠心ファンのケーシングと図６に示す遠心ファンのケーシングは同一形状のケーシングで図１に示すケーシングを用いており、インペラ形状のみ異なっている。
【００２２】
図５に示す従来の遠心ファンにおいては、インペラ３０は図８に示す遠心ファン１００にて一般的に用いられている形状で、インペラ３０の内周側から外周側に向かうほど空気流路の断面積が縮小するような構成となっている。このようなインペラでは、吸入口から吸入された空気は主板３５とシュラウド３６とで挟持された羽根の間に流れ込み、インペラ３０の内周側から外周側に向かうほど空気流路の断面積が縮小しているため、空気の流速が増加された状態でインペラ３０の外周側から外方に吹き出される。このため、インペラ３０から吹き出された空気は流速が増加され、圧力が低下した状態となっている。また、吸入口４０から吸入された空気がシュラウド３６の上端部に衝突しており、衝突によって吸入口４０付近で空気の流れに乱れが生じている状態を示している。この空気の流れの乱れは騒音となる。
【００２３】
これに対して、図６に示す本発明の遠心ファン１においては、吸入口１５から吸入された空気は環状のシュラウド６に沿って乱れることなく羽根４の間に流れ込んでいる。そして、吸入口１５から吸入された空気は空気流路の断面積が最小となる最小部によって空気の流速が増加され、最小部を通過した後は、空気流路の断面積が漸増しているため、空気流路内の空気はゆるやかに流速を減速させ、圧力エネルギーに変換される。その結果、空気の圧力が増加されて、インペラ３の外周部から外方に吹き出される。
【００２４】
また、図６に示すように、本発明の遠心ファン１では、吸入口１５付近およびインペラ３の外周部近傍での空気の流れに乱れが生じていない。このため、図５に示す従来の遠心ファンに比べて騒音を大幅に低減できる。
【００２５】
図７は図６に示す本発明の遠心ファンと図５に示す従来の遠心ファンの静圧−風量特性を示した図である。図７に示すように、本発明の遠心ファンは従来の遠心ファンに比べて、最大静圧、最大風量ともに共に大きい値を示すと共に、全風量領域において静圧を大きくできるため、ファンの風量特性を大きく向上できる。
【００２６】
本発明の遠心ファン１におけるケーシング１０は一般的に用いられている渦巻き状のケーシングではなく、ケーシング１０の側面には支柱１３のみを備えて開口を形成しているため、インペラ３から吹き出された空気の圧力をケーシング１０で増加することができない。このため、インペラから吹き出された空気の圧力をケーシングで増加することができない構造の場合には、本発明の遠心ファンのようにインペラにて空気の圧力を増加させることが必要である。
【００２７】
また、環状のシュラウド６の上面形状は複数の円弧から形成すればよいが、環状のシュラウド６の上面形状を２つの円弧で形成した場合には、流路の断面積が最小となる最小部から環状のシュラウド６の外周部６ａまでの空気流路の断面積をゆるやかに増加する形状で構成することが難しく、形状設計の自由度がない。このため、環状のシュラウド６の上面形状は２つの円弧から形成するよりも、それよりも多数の円弧（３つ以上の円弧）から形成した方が形状設計の自由度が高くなり、好ましい。
【００２８】
また、環状のシュラウド６の上面形状は３つ以上の円弧をつなげた形状の曲面にて形成されてものに限定されるものではなく、円筒部１７の端１７ａと、空気流路の断面積が最小となる最小部と、シュラウド６の外周部６ａの３箇所を通る高次関数（２次以上の関数）によって表される曲面で形成してもよく、高次関数（２次以上の関数）によって表される曲面の場合、１つの高次関数であっても複数の高次関数の組み合わせによって表現される曲面であってもよい。
【００２９】
なお、本実施形態ではケーシング１０を構成する上板１１と下板１２は略正四角形にて形成しているが、これに限定されるものではなく、ケーシング１０の側面に側壁を備えることなく開口を形成したものであれば、四角形以外の多角形であっても、円形にて形成されたケーシングであっても勿論よく、特にその形状は限定しない。
【００３０】
また、渦巻き状のケーシングを用いた遠心ファンに適用しても勿論よい。
【符号の説明】
【００３１】
１  遠心ファン
２  モータ
３  インペラ
４  羽根
５  主板
６  シュラウド
７  ボス部
１０  ケーシング
１１  上板
１２  下板
１３  支柱
１４  連結部材
１５  吸入口
１６  突起部
１７  円筒部
【図１】
2012207600.tif 000003
【図２】
2012207600.tif 000004
【図３】
2012207600.tif 000005
【図４】
2012207600.tif 000006
【図５】
2012207600.tif 000007
【図６】
2012207600.tif 000008
【図７】
2012207600.tif 000009
【図８】
2012207600.tif 000010
【図９】
2012207600.tif 000011